(57)【要約】    【課題】  閃光放電管の長短に関係なく、共通に使用して閃光放電管の取付けが可能な保持部材を備えた閃光放電発光器の発光部を提供すること。    【解決手段】  弾性材からなる同形状の２つの保持部材を設け、反射鏡２１の側面２１ａ、２１ｂより突出させた閃光放電管２２の一方端部２２ａを一方の保持部材の孔部２４ａによって嵌着し、その他方端部２２ｂを他方の保持部材２５の孔部２５ａによって嵌着し、さらに、２つの保持部材２４、２５の係止孔を取付基体２３の背面に設けた係止突部２３ａ、２３ｂに係止させ、反射鏡２１と閃光放電管２２とを取付基体２３に取付ける構造となっている。【選択図】    図２
2008003109.tif 000002
【特許請求の範囲】
【請求項１】
閃光放電管の両端部を反射鏡の側面外に突出させ、その両端部には取付基体側に引張り作用を与える弾性材からなる保持部材を備え、閃光放電管を反射鏡の奥底部に圧接させた状態として閃光放電管と反射鏡とを取付基体に取付ける構成の閃光放電発光器の発光部構造において、
弾性材から形成した同形状の２つの保持部材を設け、
一方の保持部材の一部分を閃光放電管の一側端部に嵌着し、他方の保持部材の一部分を閃光放電管の他側端部に嵌着し、
前記２つの保持部材の他部分を取付基体に係止する構成としたことを特徴とする閃光放電発光器の発光部構造。
【請求項２】
請求項１に記載した発光部構造において、
前記反射鏡を導電性材で形成すると共に、前記閃光放電管の周囲部に励起電極を設け、
前記閃光放電管が反射鏡の奥底部に圧接することによって前記励起電極を反射鏡に電気接続させる構成とし、
励起電圧が前記反射鏡を介して前記閃光放電管の励起電極にトリガ−電圧として印加される構成としたことを特徴とする閃光放電発光器の発光部構造。
【請求項３】
請求項１に記載した発光部構造において、
前記閃光放電管の端部を嵌入させる孔部と、
前記取付基体の背部に設けた係止部に係止させる係止片部とを設け、かつ、弾性材で形成した同形状の２つの保持部材を備え、
一つの保持部材の孔部には、閃光放電管の一方側の端部を嵌着し、他の保持部材の孔部には、閃光放電管の他方側の端部を嵌着し、
前記２つの保持部材の各々の係止片部を取付基体の係止部に係止させる構成としたことを特徴とする閃光放電発光器の発光部構造。
【請求項４】
請求項１又は３に記載した発光部構造において、
前記保持部材には嵌合突部を、前記取付基体には前記嵌合突部を嵌入する凹溝を各々設け、
前記嵌合突部を前記凹溝に嵌入させて閃光放電管と反射鏡とを取付基体に組み付けた後に、前記保持部材を取付基体に係止する構成としたことを特徴とする閃光放電発光器の発光部構造。
【発明の詳細な説明】
【技術分野】
【０００１】
本発明は、写真撮影などに使用される閃光放電発光器の発光部構造に関する。
【背景技術】
【０００２】
図７は、従来例として示した閃光放電発光器が備える発光部の断面図であり、図８は当該発光部を背面側から見た斜視図である。
【０００３】
これらの図面より分かる通り、この発光部は、湾曲形成された金属性の反射鏡１１内に閃光放電管１２を組込み、さらに、反射鏡１１と閃光放電管１２とを樹脂材からなる取付基体１３に取付けた構成となっている。
【０００４】
今少し具体的に述べれば、閃光放電管１２は、その両端部１２ａ、１２ｂが反射鏡１１の側面１１ａ、１１ｂ外に突出するように組み込まれ、また、上記の両端部１２ａ、１２ｂにはゴムなどの弾性材からなる保持部材（シリコンバンド）１４の両端部１４ａ、１４ｂが嵌着されている。
【０００５】
すなわち、保持部材１４の両端部１４ａ、１４ｂには孔部１４ｃ、１４ｄが設けられており、一端部側の孔部１４ｃによって閃光放電管１２の一端部１２ａを嵌着した後に、保持部材１４を取付基体１３の背面側を通るように弾性に抗して引き伸ばし、次に、他端側の孔部１４ｄを閃光放電管１２の他端部１２ｂを嵌着し、反射鏡１１と閃光放電管１２とを取付基体１３に係止させるようになっている。
【０００６】
このように、保持部材１４の弾性作用によって反射鏡１１と閃光放電管１２とが取付基体１３に取付けられ、また、上記のように取付けられた閃光放電管１２は、保持部材１４の引張力によって取付基体１３側に引き寄せられ、その周囲面が反射鏡１１の奥底部に圧接している。
【０００７】
つまり、閃光放電管１２の周囲部には、励起電極（ネサコ−ト）が設けられており、この励起電極が金属性の反射鏡１１に電気的に接続され、閃光放電管１２を発光始動させる励起電圧が反射鏡１１を介して印加されるようになっている。
【０００８】
そのため、反射鏡１１には図９に示したように、トリガ−回路から送られる励起電圧を反射鏡１１に与えるトリガ−線１５が半田付けされている。
その他、閃光放電管１２の主電極１２ｃ、１２ｄに接続した回路線１６、１７は、メインコンデンサの充電電圧を閃光放電管１２に印加させるものである。
【０００９】
【特許文献１】特開２００１−１１７１４９号公報
【発明の開示】
【発明が解決しようとする課題】
【００１０】
上記した従来の閃光放電発光器の発光部は、一つの保持部材１４によって反射鏡１１と閃光放電管１２とを取付けることができると言う利便性があるが、しかし、保持部材１４の長さが定められているため、閃光放電管１２各々の長さに合せた保持部材１４が必要になる。
【００１１】
すなわち、閃光放電管１２の長さが変われば、反射鏡１１や取付基体１３についてもその長さに合せて設計変更しなければならないが、その他に、上記した保持部材１４についても閃光放電管１２の長さに合せて新たに用意しなければならないと言う問題がある。
【００１２】
そこで、本発明では、閃光放電管の長短に関係なく共通に使用することができる保持部材によって反射鏡と閃光放電管との取付けを可能とした閃光放電発光器の発光部構造を提供することを目的とする。
【課題を解決するための手段】
【００１３】
上記した目的を達成するため、本発明では、第１の発明として、閃光放電管の両端部を反射鏡の側面外に突出させ、その両端部には取付基体側に引張り作用を与える弾性材からなる保持部材を備え、閃光放電管を反射鏡の奥底部に圧接させた状態として閃光放電管と反射鏡とを取付基体に取付ける構成の閃光放電発光器の発光部構造において、弾性材から形成した同形状の２つの保持部材を設け、一方の保持部材の一部分を閃光放電管の一側端部に嵌着し、他方の保持部材の一部分を閃光放電管の他側端部に嵌着し、前記２つの保持部材の他部分を取付基体に係止する構成としたことを特徴とする閃光放電発光器の発光部構造を提案する。
【００１４】
第２の発明としては、上記した第１の発明の発光部構造において、前記反射鏡を導電性材で形成すると共に、前記閃光放電管の周囲部に励起電極を設け、前記閃光放電管が反射鏡の奥底部に圧接することによって前記励起電極を反射鏡に電気接続させる構成とし、励起電圧が前記反射鏡を介して前記閃光放電管の励起電極にトリガ−電圧として印加される構成としたことを特徴とする閃光放電発光器の発光部構造を提案する。
【００１５】
第３の発明としては、上記した第１の発明の発光部構造において、前記閃光放電管の端部を嵌入させる孔部と、前記取付基体の背部に設けた係止部に係止させる係止片部とを設け、かつ、弾性材で形成した同形状の２つの保持部材を備え、一つの保持部材の孔部には、閃光放電管の一方側の端部を嵌着し、他の保持部材の孔部には、閃光放電管の他方側の端部を嵌着し、前記２つの保持部材の各々の係止片部を取付基体の係止部に係止させる構成としたことを特徴とする閃光放電発光器の発光部構造を提案する。
【００１６】
第４の発明としては、上記した第１又は第３の発明の発光部構造において、前記保持部材には嵌合突部を、前記取付基体には前記嵌合突部を嵌入する凹溝を各々設け、前記嵌合突部を前記凹溝に嵌入させて閃光放電管と反射鏡とを取付基体に組み付けた後に、前記保持部材を取付基体に係止する構成としたことを特徴とする閃光放電発光器の発光部構造を提案する。
【発明の効果】
【００１７】
上記した通り、本発明は、弾性材で同形状に形成した２つの保持部材を設け、一方の保持部材によって閃光放電管の一側端部を係止し、他方の保持部材によって閃光放電管の他側端部を係止して反射鏡と閃光放電管とを取付ける構成としたので、閃光放電管の長短に関係なく使用することができる保持部材となり、発光部の生産コストの低廉化に有利となる。
また、２つの保持部材は同形状とすることができるので、この点からも低廉化が期待できる。
【発明を実施するための最良の形態】
【００１８】
次に、本発明に係る発光部構造の一実施形態について図面に沿って説明する。
図１は発光部の斜視図、図２は前記発光部の横断面図、図３は前記発光部の分解斜視図である。
【００１９】
これらの図面において、２１は反射鏡、２２は閃光放電管、２３は取付基体、２４、２５は保持部材である。
反射鏡２１は、従来例のもと同様の金属材からなるもので、側面２１ａ、２１ｂを有する湾曲断面形状のものとなっている。
閃光放電管２２は、キセノンガスが封入された公知の閃光放電管である。
【００２０】
この閃光放電管２２は、反射鏡２１の側面２１ａ、２１ｂに設けた孔部２１ｃ、２１ｄに挿通し、反射鏡２１内に配設すると共に、側面２１ａ外に突出させた閃光放電管２２の一方端部２２ａには保持部材２４を嵌着し、側面２１ｂ外に突出させた閃光放電管２２の他方端部２２ｂには保持部材２５が嵌着してある。
【００２１】
上記の取付基体２３は、樹脂材で形成してあり、その背面には保持部材２４、２５を係止させる係止突部材２３ａ、２３ｂを設け、また、励起電圧を供給するための電極板２６を差し込むスリット孔が形成してある。
さらに、この取付基体２３の両側板には、保持部材２４、２５を嵌合させる嵌合凹部２３ｃ、２３ｄが、前側から後側に向かって切欠形成してある。
【００２２】
上記した保持部材２４、２５は、ゴムなどの弾性材（例えば、シリコンゴム）で同形状に形成したもので、図４及び図５には保持部材２５のみが示してある。
これらの図面に示してある通り、この保持部材２５の一方側には、閃光放電管２２の端部２２ｂを嵌着する孔部２５ａを設け、その他方側には、取付基体２３の係止突部２３ｂに係止させる係止孔２５ｂが形成してある。
なお、この保持部材２５の内面側には、取付基体２３の嵌合凹部２３ｄに嵌合させる嵌合凸部２５ｃが設けてある。
【００２３】
その他、２７は電極板２６に半田付けしてあるトリガ−線であり、２８、２９は閃光放電管２２の主電極２２ｃ、２２ｄに半田付けにより接続した回路線であり、これは従来例のトリガ−線１５，回路線１６、１７と同様のものである。
【００２４】
また、保持部材２４、２５の孔部２４ａ、２５ａの周囲に設けた弧状形の突片部２４ｄは、閃光放電管２２の主電極２２ｃ、２２ｄと回路線２８、２９との半田付け部に外部部品が接触することを防ぐためのものである。
【００２５】
上記の構成からなる発光部は、先ず、反射鏡２１の孔部２１ｃ、２１ｄに閃光放電管２２を挿入し、その側面２１ａ、２１ｂから閃光放電管２２の端部２２ａ、２２ｂを突出させる。
【００２６】
そして、閃光放電管２２の一方端部２２ａに保持部材２４の孔部２４ａを嵌着し、同様にその他方端部２２ｂに保持部材２５の孔部２５ａを嵌着した後に、図３より分かるように、閃光放電管２２の主電極２２ｃ、２２ｄに回路線２８、２９を半田付けする。
【００２７】
続いて、保持部材２４、２５の嵌合凸部２４ｃ、２５ｃを取付基体２３の嵌合凹部２３ｃ、２３ｄに嵌め合せるようにして反射鏡２１と閃光放電管２２とを取付基体２３に組み付ける。
【００２８】
一方、電極板２６を取付基体２３の背面側からスリットに差し入れ、この電極板２６の上下板部を反射鏡２１の外面に圧接させる。
【００２９】
上記のように、反射鏡２１と閃光放電管２２とを組み付けた状態では、保持部材２４、２５の係止孔部分が後方向に向かって突出するようになるから、図６に示してあるように、保持部材２４、２５の係止孔部分を取付基体２３の背面側に折り曲げ、保持部材２４、２５の係止孔２４ｂ、２５ｂを取付基体２３の係止突部２３ａ、２３ｂに引っかけて係止する。
【００３０】
上記した構成の発光部は、閃光放電管２２が保持部材２４、２５の引張り力で反射鏡２１の奥底部に圧接するから、トリガ−線２７より送られる励起電圧が電極板２６と反射鏡２１を介して閃光放電管２２の励起電極に印加されるものとなる。
【００３１】
そして、特に、この発光部は、閃光放電管２２の長さを変え、この閃光放電管２２の長さに合せた反射鏡２１と取付基体２３としても、取付基体２３の係止突部２３ａ、２３ｂの位置を適当に設計すれば、保持部材２４、２５については特に変える必要がないので、閃光放電管２２の長短について共通に使用することができるものとなる。
【産業上の利用可能性】
【００３２】
写真撮影などに使用する閃光放電発光器の発光部として有効に使用することができる。
【図面の簡単な説明】
【００３３】
【図１】本発明を実施した閃光放電発光器の発光部を示す斜視図である。
【図２】上記発光部の横断面図である。
【図３】上記発光部の分解斜視図である。
【図４】上記発光部に備えた保持部材の斜視図である。
【図５】上記した保持部材の断面図である。
【図６】上記発光部の背面方向から見た斜視図である。
【図７】従来例として示した閃光放電発光器の発光部を示す断面図である。
【図８】図７に示す従来の発光部を背面方向から見た斜視図である。
【図９】図７に示す従来の発光部の反射鏡を背面方向から見た斜視図である。
【符号の説明】
【００３４】
２１  反射鏡
２２  閃光放電管
２３  取付基体
２３ａ、２３ｂ  係止突部
２４、２５  保持部材
２４ａ、２５ａ  孔部
２４ｂ、２５ｂ  係止孔
２６  電極板
【図１】
2008003109.tif 000003
【図２】
2008003109.tif 000004
【図３】
2008003109.tif 000005
【図４】
2008003109.tif 000006
【図５】
2008003109.tif 000007
【図６】
2008003109.tif 000008
【図７】
2008003109.tif 000009
【図８】
2008003109.tif 000010
【図９】
2008003109.tif 000011